(57)【要約】【課題】  発信元端末から加入者端末に無線通信ネットワークを介して送られるＳＭＳメッセージをフィルタリングするシステム及び方法を提供する。【解決手段】  無線通信ネットワークを介して発信元端末から加入者端末へ送信されたＳＭＳメッセージをフィルタリングするシステム及び方法が提供される。方法は、加入者から提供された許可基準を提供するステップ、許可基準を用いてＳＭＳメッセージを加入者端末に送信することについての発信元端末の許可状態を判定するステップ、及び判定するステップに基づいてＳＭＳメッセージをフィルタリングするステップを含む。システムは、加入者から提供された許可基準を提供する手段、発信元端末の許可状態を判定する手段、及び発信元端末の許可状態に基づいてＳＭＳメッセージをフィルタリングする手段を含む。【選択図】  図１
2005237008.tif 000002
【特許請求の範囲】
【請求項１】
無線通信ネットワークにおいて発信元端末から加入者端末へ送信されたＳＭＳメッセージをフィルタリングする方法であって、
加入者から提供された許可基準を提供するステップ、
該許可基準を用いて、該ＳＭＳメッセージを該加入者端末に送信することについての該発信元端末の許可状態を判定するステップ、及び
該判定するステップに基づいて該ＳＭＳメッセージをフィルタリングするステップ
からなる方法。
【請求項２】
請求項１記載の方法において、該判定するステップが、該発信元端末がＳＭＳメッセージを該加入者端末へ送信することについて許可されていないことを判定するステップからなる方法。
【請求項３】
請求項２記載の方法において、該フィルタリングするステップが該ＳＭＳメッセージを拒否するステップを含み、それにより該ＳＭＳメッセージが該加入者端末へ配信されるのを防止する方法。
【請求項４】
請求項１記載の方法において、該判定するステップが、該発信元端末がＳＭＳメッセージを該加入者端末へ送信することについて許可されていることを判定するステップからなる方法。
【請求項５】
請求項４記載の方法において、該フィルタリングするステップが該ＳＭＳメッセージを該加入者端末に配信するステップを含む方法。
【請求項６】
請求項１記載の方法において、該加入者から提供された許可基準が端末識別子を含み、該判定するステップが、さらに、
該発信元端末を識別する端末識別子を該加入者から提供された許可基準と比較するステップ
からなる方法。
【請求項７】
請求項１記載の方法において、該許可基準は端末識別子である方法。
【請求項８】
無線通信ネットワークにおいて発信元端末から加入者端末へ送信されたＳＭＳメッセージをフィルタリングするシステムであって、
加入者から提供された許可基準を提供する手段、
該許可基準を用いて、該ＳＭＳメッセージを該加入者端末に送信することについての該発信元端末の許可状態を判定する手段、及び
該発信元端末の該許可状態に基づいて該ＳＭＳメッセージをフィルタリングする手段
からなるシステム。
【請求項９】
請求項８記載のシステムにおいて、前記フィルタリングする手段が、該発信元端末が該ＳＭＳメッセージを該加入者端末へ送信することについて許可されているとき、ＳＭＳメッセージを該加入者端末に配信する手段からなるシステム。
【請求項１０】
請求項８記載のシステムにおいて、前記フィルタリングする手段が、該発信元端末が該ＳＭＳメッセージを該加入者端末へ送信することについて許可されていないとき、ＳＭＳメッセージの該加入者端末への配信を遮断する手段からなるシステム。
【発明の詳細な説明】
【技術分野】
【０００１】
本発明は電気通信、特に、移動体端末に送られたＳＭＳメッセージを加入者から提供された認証基準を用いてフィルタリングするためのシステム及び方法に関する。
【背景技術】
【０００２】
ショート・メッセージ・サービス（ＳＭＳ）は無線移動体端末間の文字・数字メッセージの送信を可能とする無線通信サービスに広く受け入られている。ＳＭＳは帯域外パケット配信及び低帯域幅メッセージ送信に特徴付けられ、データの短いバーストの送信のためのより効率的な手段となっている。二者間の単純なショートメッセージの交換を超えてＳＭＳメッセージの広範な使用が発展してきた。
【０００３】
ＳＭＳメッセージの普及によってこの形式の通信が激増しＳＭＳが使える移動体端末が幅広く使用されるようになった。ＳＭＳメッセージを使って消費者に連絡をとる能力は、無線加入者に送られる歓迎されないメッセージを爆発的に増加させている広告業者や通信販売者には有効活用されてしまっている。その結果、移動体ユーザーはしばしば望まないＳＭＳメッセージを受信することになる。
【０００４】
移動体ユーザーは通常、ネットワークプロバイダーとして知られる無線通信サービスプロバイダーに提供されるサービスプランに加入する。これらの加入者達はよく彼らの端末を使用した時間に応じて、プライムタイムには割増金付きで、支払いを行う。限られたＲＦスペクトルしか利用できないので、サービスプロバイダーは度々無線加入者に入着呼に対して課金する。ＳＭＳメッセージがサービスプロバイダーの限られたＲＦリソースを使ってしまうので、通常、加入者達は入着ＳＭＳメッセージの受信に費やされた時間に対しても課金される。
【０００５】
従って、加入者達は、彼らが支払いを負わなければならない望まないＳＭＳメッセージを次から次へと受信することになる。しかも、受信した望まないＳＭＳメッセージは不快で迷惑なものでもある。通常、加入者達は望んだ呼を受信するために彼らの端末をオンしているが、望まないＳＭＳメッセージを受信することによって迷惑を受けることを望んでいるわけではない。
それゆえ、加入者が望まないＳＭＳメッセージを遮断できるようにすることが望ましい。
【発明の開示】
【課題を解決するための手段】
【０００６】
発信元端末から加入者端末に無線通信ネットワークを介して送られるＳＭＳメッセージをフィルタリングするシステム及び方法が提供される。
【０００７】
本発明の第１の側面によると、ＳＭＳメッセージをフィルタリングする方法は、加入者から提供された許可基準を提供するステップ、許可基準を用いてＳＭＳメッセージを加入者端末へ送信することについての発信元端末の許可状態を判定するステップ、及び判定するステップに基づいてＳＭＳメッセージをフィルタリングするステップを含む。
【０００８】
本発明の第２の側面によると、フィルタリングするステップは、発信元端末がＳＭＳメッセージを加入者端末に送信することを許可されているとき、ＳＭＳメッセージを加入者端末に配信するステップを含む。
【０００９】
本発明の第３の側面によると、フィルタリングするステップは、発信元端末がＳＭＳメッセージを加入者端末に送信することを許可されていないとき、ＳＭＳメッセージの加入者端末への配信を遮断するステップを含む。
【００１０】
無線通信ネットワークを介して発信元端末から加入者端末へ送信されたＳＭＳメッセージをフィルタリングするシステムは、加入者から提供された許可基準を提供する手段、許可基準を用いてＳＭＳメッセージを加入者端末に送信することについての発信元端末の許可状態を判定する手段、及び発信元端末の許可の有無に基づいてＳＭＳメッセージをフィルタリングする手段を含む。
【００１１】
本発明のさらに他の側面によると、フィルタリングする手段は、発信元端末がＳＭＳメッセージを加入者端末に送信することを許可されているとき、ＳＭＳメッセージを加入者端末に配信する手段を含む。
【００１２】
本発明の他の側面によると、フィルタリングする手段は、発信元端末がＳＭＳメッセージを加入者端末に送信することを許可されていないとき、ＳＭＳメッセージの加入者端末への配信を遮断する手段を含む。
【００１３】
さらなる本発明の適応の範囲は下記の発明の詳細な説明から明らかになる。しかし、発明の精神と範疇内の様々な変更や修正は当業者には明らかなものである。従って、発明の詳細な説明及び特定の例示は、本発明の好適な実施形態を示すものではあるが、例として示したに過ぎないことが理解されるべきである。
本発明は構造、構成及び装置の種々の部分の組み合わせ並びに方法のステップにおいて存在し、意図される対象物は、より完全に請求項に具体的に示されるとともに付随する図面に示されるように達成されるものである。
【発明を実施するための最良の形態】
【００１４】
図１は無線通信ネットワークの一部分を概略的に１０として示すブロック図である。無線通信ネットワーク１０は、ＣＤＭＡ、ＧＳＭ、ＴＤＭＡ等を含むがこれに限定されない適当な公知の無線通信ネットワークであればどのようなものでもよい。
【００１５】
無線通信サービスプロバイダーは無線通信ネットワーク１０のサービスを加入者達に提供する。加入者は無線通信ネットワーク１０を介して、セルラー端末として知られるような無線通信端末、即ち移動体端末１２を用いて通信する。加入者端末１２として示される移動体端末は発信元端末１３から通信ネットワーク１０を介してＳＭＳメッセージを受信することができる。移動体端末１２の例として、ＣＤＭＡ、ＧＭＳ又は他の無線装置等があるがこれに限定されるものではない。発信元端末１３は無線通信ネットワーク１０を介してＳＭＳメッセージを加入者端末１２に送信できればどのような端末であってもよい。
【００１６】
無線通信ネットワーク１０は基地局を含み、そのうちの１つのみが説明の簡単のため１４に示され、移動体端末１２と空中インターフェイス１６を介して通信する。空中インターフェイス１６は、ＧＳＭやＣＤＭＡのような異なる無線技術の一つ一つとして定義される。これらの技術は、利用可能な帯域及びシステム容量の制約を考慮して、電磁無線信号周波数の送信の利用だけでなく音声及びＳＭＳメッセージのようなデータ信号がどのようにＭＳＣ１８から端末１２に送信され返信されるかを特定する規格を含む。ネットワーク１０は、ネットワークが通信範囲を提供する地理的領域に亘って分布されるセルサイト又はセルとして知られる複数の基地局を含む。
【００１７】
また、無線通信ネットワーク１０は公知の接続２０を用いて基地局１４と通信する移動体交換局（ＭＳＣ）１８を含む。好適な実施形態において、ＭＳＣ１８は、無線通信ネットワーク１０の他の部分を結合するためのデータ・リンク・インターフェイスを持つプロセッサを主体とする装置である。ＭＳＣ１８は通信ネットワーク１０とともに呼のセットアップ、登録及び入着呼の移動体端末へのルーティングといった移動体端末１２の通信を扱う。ＭＳＣ１８はシステムのスイッチング機能を実行し、端末１３等の他の電話やデータシステムへの及びそれらからの端末１２における呼の配信を制御する。ＭＳＣ１８は端末の位置に基づいてＳＭＳメッセージを受信移動体端末へ適切な基地局１４を介して配信する。無線ネットワーク１０は複数のＭＳＣを含み、１８において示されるＭＳＣは移動体端末のホームＭＳＣとすることができ、又はそれは無線通信ネットワーク１０において移動体端末１２がローミングしている場合によくサービングＭＳＣと言われる異なるＭＳＣとすることもできる。
【００１８】
また、無線通信ネットワーク１０はＭＳＣ１８にサービス・プロバイダー・ネットワーク接続２２を介して接続されたホーム・ロケーション・レジスタ（ＨＬＲ）２６を含む。ＨＬＲ２６は、ユーザー識別、認証及び許可のためのネットワークアクセス制御情報を含むユーザーセキュリティ情報、ユーザー登録のためのユーザー位置情報等のような加入者プロファイル情報を記憶する。ＨＬＲ２６は示された加入者の情報をルーティングして、呼及びＳＭＳメッセージを提供する。加入者端末がローミングしているとき、加入者プロファイル情報はＨＬＲ２６からは分離してかつ異なる位置に記憶されたビジター・ロケーション・レジスタ（ＶＬＲ）（図示せず）にコピーされる。ＶＬＲはＨＬＲの代わりに使用されるものとして理解されるべきであるが、説明の便宜のため、ＨＬＲ２６がここに提供された例において使用されるものとする。
【００１９】
また、下記のフィルター・モードを介してＳＭＳメッセージを送信及び受信し並びにＳＭＳメッセージをフィルタリングする能力といったような加入者プロファイル情報は、加入者が加入するサービスネットワークを識別するために使用される。ＨＬＲ２６加入者プロファイル情報はＳＭＳメッセージをフィルタリングするために加入者によって提供された許可基準を記憶するために使用される。
【００２０】
無線通信ネットワーク１０は、ＭＳＣ１８にサービス・プロバイダー・ネットワーク接続２２を介して接続されるフィルター・モード・アプリケーション・サーバー（ＦＭＡＳ）２８を含む。ＦＭＡＳ２８は、加入者が発信元端末１３から加入者端末１２へ送られたＳＭＳメッセージをフィルタリングできるようにフィルター・モード・アプリケーションの命令と制御を提供する。フィルター・モードはＳＭＳメッセージを受信することができる全ての移動体端末に対して利用可能であり、又は加入条件として追加費用により利用可能とすることができる。ＦＭＡＳ２８は加入者達にインターフェイスを提供し、加入者達が彼らの加入者端末１２に送られるＳＭＳメッセージをフィルタリングするために用いる加入者提供の許可基準を提供できるようにする。ＦＭＡＳ２８はインターネット３０にインターネット接続３２を介して接続され、その加入者が加入者提供の許可基準をインターネット経由で提供できるようにすることができる。ＦＭＡＳ２８は別個のネットワーク要素でもよいし、ＭＳＣ１８に集積されたものでもよい。
【００２１】
また、無線通信ネットワーク１０は公知のネットワーク接続２２を用いてＭＳＣ１８に接続されたショート・メッセージ・サービス・センター（ＳＭＳＣ）３６を含む。ＳＭＳＣ３６は、ＳＭＳメッセージを加入者端末１２等の移動体装置へ、及びその装置からホーム／サービングＭＳＣ１８を介して送信するための機構を提供する。ＳＭＳＣ３６は、ＳＭＳメッセージの移送のための加入者端末とＭＳＣ１８を見つけるように要求された機構を提供し、ＳＭＳメッセージの記憶・転送システムとして動作する。
【００２２】
ＳＭＳは、無線ネットワークの方法及び機構を規定しＳＳ７取引能力アプリケーション部分（ＴＣＡＰ）のサービスを用いる移動体アプリケーション部（ＭＡＰ）を利用する。加入者端末１２の能力は端末によってサポートされている無線技術によって異なる。ＭＡＰレイヤーはＳＭＳをサポートするのに必要な動作を規定する。米国及び国際規格機関の双方ともＳＳ７・ＴＣＡＰのサービスを用いるＭＡＰレイヤーを規定した。米国規格は電気通信工業会によって発行されＩＳ−４１と称されている。国際規格は欧州電気通信標準化機構（ＥＴＳＩ）によって規定され、ＧＳＭ・ＭＡＰと称されている。
【００２３】
ＳＭＳは、移動体発信（ＭＯ）の能力のある端末からＳＭＳＣへ移送された移動体発信（ＭＯ）ショートメッセージを含み、他の移動体加入者へ、又はページングネットワークやインターネット・プロトコル・ネットワーク（インターネット及び個人のｅメールネットワークを含む）のような固定ネットワーク上の加入者へ終着される。また、ＳＭＳは、ＳＭＳＣから端末へ移送された移動体終端（ＭＴ）ショートメッセージを含み、ＳＭＳＣへ他の移動体加入者によってＭＯ−ＳＭを介して、又はボイス・メール・システム、ページングネットワーク若しくは交換手のような他の発信元によって送信される。発信元端末１３はＳＭＳメッセージを加入者端末１２へ無線通信ネットワーク１０を介して送信する能力を持つ端末であればどのようなものでもよい。発信元端末１３は移動体端末、ＰＳＴＮを介して無線ネットワークと通信する端末、又はインターネットを介して無線ネットワークと通信する端末であればよい。
【００２４】
本発明は、ＳＭＳメッセージをフィルタリングする許可基準をフィルタリング・モードにおいて使用する。ＳＭＳメッセージのフィルタリングは、許可されている発信元端末１３からの加入者端末１２へのＳＭＳメッセージ配信を許可すること、及び／又は許可されていない端末から送られたメッセージが加入者端末に届くのを遮断することを含む。許可基準は加入者によって提供されるので、加入者提供の許可基準と称される。本発明によって加入者はどの発信元端末が許可され、どの発信元端末が許可されていないかを判定・決定することができる。
【００２５】
図２を参照すると、無線通信ネットワーク１０においてＳＭＳメッセージをフィルタリングする方法が概略的に１００で示される。方法は、発信元端末１３から加入者端末１２へ送られるＳＭＳメッセージをフィルタリングするための加入者提供の許可基準を提供することを含む。許可基準は発信元端末識別許可基準（ＯＴＩＤＡＣ）のような発信元端末を識別する基準であればどのようなものでもよい。ＯＴＩＤＡＣは発信元端末の電話番号又は発信元端末のＩＰアドレスであってもよい。許可基準は許可されている端末のＯＴＩＤＡＣでもよい。また、許可基準は許可されていない端末のＯＴＩＤＡＣでもよい。この場合、加入者端末１２へ配信されるＳＭＳメッセージのためにＳＭＳメッセージを送る端末のＯＴＩＤは許可基準ＯＴＩＤＡＣと一致してはならない。許可基準ＯＴＩＤＡＣは下記のＳＭＳメッセージのフィルタリングに用いるためにＨＬＲ２６に記憶される。
【００２６】
また、方法１００は、ステップ１０４でＳＭＳメッセージ・フィルタリング・モードが移動体端末１２に対してアクティブであるかを判定することを含む。フィルタリング・モードがアクティブでない場合（１０６を参照）、ステップ１０８でＳＭＳメッセージが移動体端末１２へ配信される。フィルタリング・モードがアクティブな場合（１１０を参照）、方法１００はまた、ステップ１１２で発信元端末１３がＳＭＳメッセージを移動体端末１２へ送信することを許可されているかを加入者提供の許可基準を用いて判定することを含む。発信元端末が許可されている場合（１１４を参照）、ステップ１０８でＳＭＳメッセージが移動体端末１２へ配信される。ステップ１１２で発信元端末１３がＳＭＳメッセージを移動体端末１２へ送信することを許可されていない場合（１１６を参照）、ステップ１１８でＳＭＳメッセージが遮断される。方法１００はまた、ステップ１２０において、発信元端末がＳＭＳメッセージを移動体端末へ送信することを許可されていないことを示す拒否メッセージを発信元端末１３に送ることも含む。
【００２７】
図３に概略的に１５０で示されるように、ステップ１０２で加入者はインターネット３０を用いて加入者提供の許可基準を無線ネットワーク１０に提供する。加入者は、インターネット３０を介してＦＭＡＳ２８へ接続されるコンピュータ１５２のように、インターネットを介して命令メッセージを送信する能力を持つ公知の電子装置であればどのようなものを用いてもよい。上記のように、ＦＭＡＳ２８はサービス・プロバイダー・ネットワーク２２を介してＨＬＲ２６に接続される。
【００２８】
図４を参照すると、加入者が許可基準をインターネット上で提供することを示すメッセージの流れ図が示される。メッセージの流れ図は例示の目的で提供され、従って、発明の範囲を限定するものとして解釈されてはならない。加入者は、例えば、加入者端末移動体識別番号（ＳＭＩＮ）を含むことによって、加入者の生成した命令メッセージに加入者端末１２を関連付ける個人識別番号（ＰＩＮ）等のパスワードを入力してサービスプロバイダーのウェブページにログインする。加入者は、１６０において、ＯＴＩＤのような許可基準をＦＭＡＳ２８へ許可基準送信（Send＿Auth＿Criteria）命令メッセージをＦＭＡＳ２８へ送信することによって送信することができる。許可基準送信（Send＿Auth＿Criteria）命令メッセージはここでは単なる例示の目的のために用いられ、加入者提供の許可基準をＦＭＡＳ２８にインターネット上で送信する能力を持つ何らかのメッセージング・プロトコルを用いたいずれかの適切な命令メッセージとして限定的に解釈されるべきものではない。１６２でＦＭＡＳ２６は許可基準送信（Send＿Auth＿Criteria）命令メッセージをＨＬＲ２６へサービス・プロバイダー・ネットワーク接続２２を介して送信される。ＦＭＡＳ２８はＳＭＩＮやＯＴＩＤと同様に加入者端末の電子シリアル番号（ＥＳＮ）を送信できる。
【００２９】
アプリケーションにおいて、フィルター・モード機能は加入者ごとに提供され、ＨＬＲ２６は、加入者がフィルター・モード機能に加入しているか否か及びそれに従ってフィルタリング基準を提供する許可を受けているかどうかを、加入者プロファイル情報を確認することによって認証することができる。加入者の同一性、及び、必要であれば加入要件が認証されると、加入者提供の許可基準は１６４においてＨＬＲ２６に記憶される。１６６において、ＨＬＲ２６は応答をＦＭＡＳ２８へサービス・プロバイダー・ネットワーク接続２８を介して送信し、許可基準が提供されたことを通知する。１６８において、ＦＭＡＳ２８は応答を加入者にインターネット３０を介して送信し、加入者提供の許可基準が受信されたことを示す。
【００３０】
加入者は、１０２において、図５に概略的に１７０で示す加入者端末１２のような移動体端末を用いて加入者提供の許可基準をネットワーク１０へ提供することができる。加入者は、空中インターフェイス１４を介して命令メッセージをＭＳＣ１８に送信するのに適していればどのような公知の移動体端末を用いてもよい。加入者はユーザーインターフェイスによって導かれるメニューを用いて、又は他の適切なやり方で情報を入力することができる。
【００３１】
図６は加入者が移動体端末を用いて許可基準を提供することを図示するメッセージの流れ図である。メッセージの流れ図は例示を目的として提供されるものであり、従って、本発明の範囲を限定するものとして解釈されるべきものではない。１８０において、加入者がＯＴＩＤのような許可基準送信（Send＿Auth＿Criteria）命令メッセージをＭＳＣ１８に送信する。加入者がパスワード、個人識別番号（ＰＩＮ）等を入力した時、又は加入者が加入者端末１２を用いて命令メッセージを送信した場合、許可基準送信（Send＿Auth＿Criteria）命令は、ＳＭＩＮを含むような何らかの適切なやり方で加入者端末１２に関連付けられる。１８２において、ＭＳＣ１８は許可基準送信（Send＿Auth＿Criteria）命令メッセージをＨＬＲ２６へサービス・プロバイダー・ネットワーク接続２２を介して送信する。ＦＭＡＳ２８はＳＭＩＮやＯＴＩＤと同様に加入者端末の電子シリアル番号（ＥＳＮ）を含むことができる。
【００３２】
１８４において、ＨＬＲ２６は加入者情報を上述のように認証し、加入者提供の許可基準を記憶することができる。１８６において、ＨＬＲ２６は応答をＭＳＣ１８へサービス・プロバイダー・ネットワーク接続２２を介して送信し、許可基準が提供されたことを通知し、これが１８８において加入者へ送信される。
【００３３】
図７を参照すると、ＳＭＳメッセージを加入者端末１２へ送信することを許可された発信元端末１３に対するＳＭＳメッセージ・フィルタリング・モードを図示するメッセージの流れ図が概略的に２００に示される。メッセージの流れ図２００は例示を目的として提供されるものであり、従って、本発明の範囲を限定するものとして解釈されるべきものではない。２０２において、発信元端末１３はＳＭＳメッセージをＭＳＣ１８へ無線ネットワーク１０を介して送信する。ＭＳＣ１８はＨＬＲ２６に加入者プロファイル情報を質問し、加入者端末１２がＳＭＳメッセージを受信できることを確認する。１０４においてＨＬＲ１８はＳＭＳフィルタリング・モードが加入者端末１２に対してアクティブであるか否かを判定する。フィルタリング・モードがアクティブである場合、ＨＬＲ１８はまた、発信元端末１３がＳＭＳメッセージを加入者端末１２へ送信することを許可されているかを加入者提供の許可基準を用いて判定する。例えば、ＨＬＲは２０２においてＳＭＳメッセージとともに通過したＯＴＩＤを、記憶されている加入者提供許可基準端末識別子ＯＴＩＤＣと比較する。２０６において、ＨＬＲは応答をＭＳＣに返送し、発信元端末が許可されていることを示し、ＳＭＳメッセージを加入者端末１２へ送信するためのルーティング情報を提供する。発信元端末１３は許可されているので、フィルタリングのステップはＳＭＳメッセージの加入者端末１２への配信に進む。２０８において、ＭＳＣ１８はＳＭＳメッセージをＳＭＳセンター３６へ送信し、２１０において、ＳＭＳＣ３６はＳＭＳメッセージを加入者端末へ送信する。
【００３４】
図８を参照すると、ＳＭＳメッセージを加入者端末１２へ送信することを許可されていない発信元端末１３に対するＳＭＳメッセージ・フィルタリング・モードを図示するメッセージの流れ図が概略的に２５０に示される。メッセージの流れ図２００は例示を目的として提供されるものであり、従って、本発明の範囲を限定するものとして解釈されるべきものではない。２５２において、発信元端末１３はＳＭＳメッセージをＭＳＣ１８へ無線ネットワーク１０を介して送信する。２５４において、ＭＳＣ１８はＨＬＲ２６に加入者プロファイル情報を質問し、加入者端末１２がＳＭＳメッセージを受信できることを確認する。上記１０４においてＨＬＲ２６はＳＭＳフィルタリング・モードが加入者端末１２に対してアクティブであるか否かを判定する。上述のように、フィルタリング・モードがアクティブである場合、ＨＬＲ２６はまた、発信元端末１３がＳＭＳメッセージを加入者端末１２へ送信することを許可されているかを加入者提供の許可基準を用いて判定する。この例において、発信元端末１３はＳＭＳメッセージを加入者端末へ送信することを許可されておらず、２５６においてＨＬＲ２６はＭＳＣへ返信してその旨を示す。発信元端末１３はＳＭＳメッセージを加入者端末へ送信することを許可されていないので、フィルタリングのステップはＳＭＳメッセージを遮断することを含む。ＭＳＣはＳＭＳメッセージを送信せず、これによりＳＭＳメッセージが加入者端末１２へ配信されるのを防止する。２５８において、ＭＳＣ１８及び／又はＳＭＳＣ３６は、ＳＭＳメッセージは加入者端末へ送信されなかったことを示す拒否メッセージを発信元端末１３へ送り返すことができる。
【００３５】
なお、ここに記載される特定の要素又は部分は、ハードウェア、ソフトウェア、ファームウェア又はその組み合わせによってそれらの機能が適切に導入されたものであることが理解されるべきである。さらに、共に組み込まれここに記載された特定の要素は、適切な環境下で自立した要素又は分割されたものであってもよい。同様に、１つの特定の要素によって実行される複数の特定の機能は、個々の機能を独立して実行するように動作する  複数の個別の要素によって実行されてもよい。また、特定の個々の機能は分割され、協働して動作する複数の個別の要素によって実行されてもよい。また、逆に、他から独立してここに記載され及び／又は示された要素又は部分は物理的に又は機能的に適切に組み合わされてもよい。
【００３６】
上記の記載は単に発明の特定の実施形態の開示を提供するものであり、発明をその内容に限定する目的を意図するものではない。このように、発明は上述の実施形態のみに制限されるものではない。むしろ、当業者であれば本発明の範囲内にある代替の実施形態を想到できることが認められる。
【図面の簡単な説明】
【００３７】
【図１】図１は本発明による無線通信ネットワークの一部分を示すブロック図である。
【図２】図２は本発明を図示するフローチャートである。
【図３】図３は本発明による加入者提供の許可基準を加入者が提供することを図示するブロック図である。
【図４】図４は図３に示される加入者提供の許可基準を提供するステップを示すメッセージの流れ図である。
【図５】図５は本発明による加入者提供の許可基準を加入者が提供することを図示するブロック図である。
【図６】図６は図５に示される加入者提供の許可基準を提供するステップを示すメッセージの流れ図である。
【図７】図７は本発明による許可されている発信元端末からのＳＭＳメッセージのフィルタリングを示すメッセージの流れ図である。
【図８】図８は本発明による許可されていない発信元端末からのＳＭＳメッセージのフィルタリングを示すメッセージの流れ図である。
【符号の説明】
【００３８】
１０  無線通信ネットワーク
１２  加入者端末
１３  発信元端末
１４  基地局
１６  空中インターフェイス
１８  移動体交換局（ＭＳＣ）
２２  サービス・プロバイダー・ネットワーク接続
２６  ホーム・ロケーション・レジスタ（ＨＬＲ）
２８  フィルター・モード・アプリケーション・サーバー（ＦＭＡＳ）
３０  インターネット
３６  ショート・メッセージ・サービス・センター（ＳＭＳＣ）
１５２  コンピュータ
【図１】
2005237008.tif 000003
【図２】
2005237008.tif 000004
【図３】
2005237008.tif 000005
【図４】
2005237008.tif 000006
【図５】
2005237008.tif 000007
【図６】
2005237008.tif 000008
【図７】
2005237008.tif 000009
【図８】
2005237008.tif 000010